(57)【要約】【課題】ユーザの動作により精度のよい入力操作が可能な情報提示装置及び情報処理システムを提供する。【解決手段】本技術の一形態に係る情報提示装置は、本体と、検出部と、提示部とを具備する。  上記本体は、ユーザの頭部に装着される。  上記検出部は、上記本体を装着したユーザの正中面と交わる位置に配置され、ユーザの頭部の動作を検出する。  上記提示部は、上記本体に配置され、上記検出部からの出力に基づいて切り替えられた情報をユーザに提示することが可能である。【選択図】図６
2015027015.tif 000002
【特許請求の範囲】
【請求項１】
ユーザの頭部に装着される本体と、
前記本体を装着したユーザの正中面と交わる位置に配置され、ユーザの頭部の動作を検出する検出部と、
前記本体に配置され、前記検出部からの出力に基づいて切り替えられた情報をユーザに提示することが可能な提示部と
を具備する情報提示装置。
【請求項２】
請求項１に記載の情報提示装置であって、
前記検出部は、前記本体を装着したユーザの眉間部と直交する方向に、前記眉間部と対向して配置される
情報提示装置。
【請求項３】
請求項１に記載の情報提示装置であって、
前記提示部は、前記検出部からの出力に基づいて切り替えられた画像をユーザの眼前に表示することが可能な表示部を有する
情報提示装置。
【請求項４】
請求項２に記載の情報提示装置であって、
前記提示部は、前記検出部からの出力に基づいて切り替えられた音声をユーザに対し出力することが可能なスピーカ部を有する
情報提示装置。
【請求項５】
請求項１に記載の情報提示装置であって、
前記検出部は、ユーザの頭部の動作を検出する角速度センサ部を有する
情報提示装置。
【請求項６】
請求項５に記載の情報提示装置であって、
前記角速度センサ部は、
ユーザの第１の動作に基づく第１の軸まわりの角速度を検出する第１の振動素子と、
ユーザの第２の動作に基づく前記第１の軸とは異なる第２の軸まわりの角速度を検出する第２の振動素子とを有する
情報提示装置。
【請求項７】
請求項６に記載の情報提示装置であって、
前記第１の軸方向は、左右方向及び鉛直方向のうちのいずれか一方である
情報提示装置。
【請求項８】
請求項６に記載の情報提示装置であって、
前記第１の軸方向と前記第２の軸方向とは、相互に直交する
情報提示装置。
【請求項９】
請求項８に記載の情報提示装置であって、
前記第１及び第２の振動素子は、振動可能に構成される第１の端部と、前記第１の端部の反対側の第２の端部とをそれぞれ有し、前記第１及び第２の軸方向に沿ってそれぞれ延在し、
前記角速度センサ部は、
前記第１の振動素子から前記第１の軸方向に沿って延長した第１の直線と前記第２の振動素子から前記第２の軸方向に沿って延長した第２の直線とが交わる一点からの、前記第１の振動素子の第２の端部までの距離と、前記第２の振動素子の第２の端部までの距離とがそれぞれ等しい
情報提示装置。
【請求項１０】
請求項５に記載の情報提示装置であって、
前記角速度センサ部は、互いに異なる３軸まわりの角速度をそれぞれ検出することが可能な検出体を含む
情報提示装置。
【請求項１１】
ユーザの頭部に装着される本体と、
前記本体に配置され、ユーザに対し所定の情報を提示することが可能な提示部と
前記本体を装着したユーザの正中面と交わる位置に配置され、ユーザの頭部の動作を検出する検出部と、
前記検出部からの出力に基づいて、前記提示部により提示される情報を切り替える制御部と
を具備する情報処理システム。
【発明の詳細な説明】
【技術分野】
【０００１】
本技術は、頭部装着型の情報提示装置及び情報処理システムに関する。
【背景技術】
【０００２】
ヘッドマウントディスプレイ（ＨＭＤ）等の頭部装着型の情報提示装置が知られている（特許文献１、非特許文献１参照）。このような情報提示装置は、携帯性に優れ、場所を問わずユーザに情報を提示することができるとともに、ユーザの入力操作によって、適宜提示される情報を切り替えることが可能に構成される。またＨＭＤは、眼前に奥行き感のあるリアルな３Ｄ画像を表示させることが可能であり、内視鏡下手術時の内視鏡画像の提供に用いられている例もある。
【０００３】
一方で、ＨＭＤにおいては、手などを用いた入力操作の際に問題が生じることがあった。例えば、頭部に装着された本体に入力部を設けた場合には、入力ボタン等を確認しながら操作することが難しく、操作ミスを引き起こすおそれがあった。また、内視鏡下手術時のように、衛生上の理由から手を用いた操作が難しいこともあった。このような事情により、ＨＭＤを装着したユーザの動作により入力操作を行う構成が検討されている。
【先行技術文献】
【特許文献】
【０００４】
【特許文献１】特開２０１１−１４５４８８号公報
【非特許文献】
【０００５】
【非特許文献１】http://www.sony.jp/hmd/products/HMZ-T1/
【発明の概要】
【発明が解決しようとする課題】
【０００６】
しかしながら、ユーザの動作により画像や音声等の切替操作を行おうとした場合、所定の動作が行われたか否かを正確に判定する必要がある。そこで、ユーザの動作を高い精度で検出する必要があるが、角速度センサ等のモーションセンサを用いて頭部の動きを正確に捉えることが難しかった。
【０００７】
以上のような事情に鑑み、本技術の目的は、ユーザの動作により精度のよい入力操作が可能な情報提示装置及び情報処理システムを提供することにある。
【課題を解決するための手段】
【０００８】
上記目的を達成するため、本技術の一形態に係る情報提示装置は、本体と、検出部と、提示部とを具備する。
上記本体は、ユーザの頭部に装着される。
上記検出部は、上記本体を装着したユーザの正中面と交わる位置に配置され、ユーザの頭部の動作を検出する。
上記提示部は、上記本体に配置され、上記検出部からの出力に基づいて切り替えられた情報をユーザに提示することが可能である。
【０００９】
上記検出部は、左右対称な位置に配置されることとなり、頭部の重心と同様の軌道を描いて移動することとなる。また、回動に伴う首のねじれの影響等の寄与も少ない。これにより、検出部からの検出信号に基づいて頭部の動作を精度よく検出することが可能となる。したがって、ユーザの意思による頭部の動作に基づいて、提示部から提示される情報を所望の情報に切り替えることが可能となる。
【００１０】
例えば上記検出部は、上記本体を装着したユーザの眉間部と直交する方向に、上記眉間部と対向して配置されてもよい。
これにより、検出部を頭部の重心に近い位置に配置することが可能となり、頭部の動作をより精度よく検出することが可能となる。
【００１１】
上記提示部は、上記検出部からの出力に基づいて切り替えられた画像をユーザの眼前に表示することが可能な表示部を有してもよい。
これにより、情報提示装置を例えばヘッドマウントディスプレイとして構成することができ、ユーザに対し、ユーザの意思に基づく画像を提示することが可能となる。
【００１２】
あるいは、上記提示部は、上記検出部からの出力に基づいて切り替えられた音声をユーザに対し出力することが可能なスピーカ部を有してもよい。
これにより、ユーザに対し、ユーザの意思に基づく音声を提示することが可能となる。
【００１３】
上記検出部は、ユーザの頭部の動作を検出する角速度センサ部を有してもよい。
これにより、ユーザの頭部の動作によって生じた角速度に基づいて、ユーザの頭部の動作を検出することが可能となる。
【００１４】
上記角速度センサ部は、
ユーザの第１の動作に基づく第１の軸まわりの角速度を検出する第１の振動素子と、
ユーザの第２の動作に基づく上記第１の軸とは異なる第２の軸まわりの角速度を検出する第２の振動素子とを有してもよい。
これにより、振動型のジャイロセンサを用いてユーザの複数の動作を検出することが可能となる。
【００１５】
また、上記第１の軸方向は、左右方向及び鉛直方向のうちのいずれか一方であってもよい。
これにより、第１の動作として、例えば頷くように頭を上下に振る動作や、顔面を左右に向ける動作等、ユーザが容易に行うことができ、かつ無意識には行わない動作を選択することが可能となる。
【００１６】
上記第１の軸方向と上記第２の軸方向とは、相互に直交してもよい。
これにより、第１及び第２の振動素子相互間のクロストークを抑制し、検出信号のノイズをより低減することが可能となる。
【００１７】
さらに、上記第１及び第２の振動素子は、振動可能に構成される第１の端部と、上記第１の端部の反対側の第２の端部とをそれぞれ有し、上記第１及び第２の軸方向に沿ってそれぞれ延在し、
上記角速度センサ部は、
上記第１の振動素子から上記第１の軸方向に沿って延長した第１の直線と上記第２の振動素子から上記第２の軸方向に沿って延長した第２の直線とが交わる一点からの、上記第１の振動素子の第２の端部までの距離と、上記第２の振動素子の第２の端部までの距離とがそれぞれ等しくてもよい。
これにより、第１及び第２の振動素子の検出感度のずれを抑制し、頭部の動作の検出精度を高めることが可能となる。
【００１８】
また、上記角速度センサ部は、互いに異なる３軸まわりの角速度をそれぞれ検出することが可能な検出体を含んでもよい。
これにより、角速度センサ部の構成を小さくすることができ、狭小なスペースにも配置することが可能となる。したがって、ユーザの正中面と交わる所望の位置に、検出部を容易に配置することができる。
【００１９】
本技術の一形態に係る情報処理システムは、本体と、提示部と、検出部と、制御部とを具備する。
上記本体は、ユーザの頭部に装着される。
上記提示部は、上記本体に配置され、ユーザに対し所定の情報を提示することが可能である。
上記検出部は、上記本体を装着したユーザの正中面と交わる位置に配置され、ユーザの頭部の動作を検出する。
上記制御部は、上記検出部からの出力に基づいて、上記提示部により提示される情報を切り替える。
【発明の効果】
【００２０】
以上のように、本技術によれば、ユーザの動作により精度のよい入力操作が可能な情報提示装置及び情報処理システムを提供することが可能となる。
【図面の簡単な説明】
【００２１】
【図１】本技術の第１の実施形態に係る情報処理システムの構成を示す模式的な図である。
【図２】上記情報処理システムの構成を示すブロック図である。
【図３】図１に示すヘッドマウントディスプレイ（ＨＭＤ）のユーザに装着された態様を示すＸ軸方向から見た断面図である。
【図４】上記ＨＭＤの表示面を望む向きから見た斜視図である。
【図５】図２に示す提示部（表示部）の構成を示すブロック図である。
【図６】図１に示す検出部の配置を説明するための平面図（正面図）であり、Ａはユーザの頭部を示す図であり、ＢはＨＭＤにおける検出部の配置を示す図である。
【図７】上記検出部の構成を模式的に示す図である。
【図８】図２に示すコントローラ（制御部）の動作例を説明するフローチャートである。
【図９】上記検出部を図１２に示すＡ点に配置した際の検出信号の具体例を示すグラフであり、横軸は時間、縦軸は電圧値を示す。
【図１０】上記検出部を図１２に示すＢ点に配置した際の検出信号の具体例を示すグラフであり、横軸は時間、縦軸は電圧値を示す。
【図１１】上記検出部を図１２に示すＣ点に配置した際の検出信号の具体例を示すグラフであり、横軸は時間、縦軸は電圧値を示す。
【図１２】図９〜１１に対応する検出部の配置を示すＨＭＤの概略斜視図である。
【図１３】ユーザの第２の動作と上記検出部の配置との関係について説明する模式的な図であり、図１３Ａは検出部を図１２に示すＡ点に配置した場合、図１３Ｂは検出部を図１２に示すＣ点に配置した場合を示す。
【図１４】頭部の回転の中心とみなされる首からのＡ点、Ｂ点及びＣ点の距離ｒ１，ｒ２，ｒ３を模式的に示す図である。
【図１５】本技術の第２の実施形態に係る情報処理システムの構成を示すブロック図である。
【図１６】本技術の第３の実施形態に係る情報処理システムの構成を示すブロック図である。
【発明を実施するための形態】
【００２２】
以下、本技術に係る実施形態を、図面を参照しながら説明する。
【００２３】
＜第１の実施形態＞
［情報処理システム］
図１、図２は、本技術の一実施形態に係る情報処理システムを説明する図であり、図１は情報処理システムの構成を示す模式図、図２は情報処理システムの構成を示すブロック図である。
【００２４】
本実施形態に係る情報処理システム１００は、本体１０と、検出部４と、提示部２と、コントローラ（制御部）３とを有する。本実施形態において、本体１０と、検出部４と、提示部２とは、ヘッドマウントディスプレイ（ＨＭＤ）１に含まれる。ＨＭＤ１は、本実施形態に係る「情報提示装置」として機能する。
【００２５】
本実施形態に係る情報処理システム１００は、ＨＭＤ１を装着したユーザの動作により、ＨＭＤ１から提示される画像を切り替えることが可能に構成される。このような情報処理システム１００は、一例として、内視鏡下手術等における手術支援システムとして用いることができ、この場合には、手術操作を行う医療従事者（ユーザ）がＨＭＤ１を装着し、手術操作を進めることができる。あるいは情報処理システム１００は、ＨＭＤ１を介したゲームの提供や、映画の提供等、種々の用途に用いることが可能である。
【００２６】
ＨＭＤ１は、例えばケーブル１５により、それぞれコントローラ３と接続される。コントローラ３には、所定の画像データが入力され、ＨＭＤ１から提示される画像をユーザの動作に基づいて切り替えることが可能に構成される。
【００２７】
ＨＭＤ１は、ユーザの頭部に装着される本体１０と、所定の情報をユーザに提示することが可能な提示部２と、検出部４とを有する。ＨＭＤ１が提示可能な画像データとしては、特に限定されない。例えば情報処理システム１００が内視鏡下手術時に用いられる場合には、内視鏡画像や、超音波画像等が適用可能である。あるいは、情報処理システム１００の使用態様に応じて、ゲーム画像や、映画等の種々の画像データを適用することができる。以下、ＨＭＤ１の構成について説明する。
【００２８】
［ＨＭＤ］
図３，４は、本実施形態に係るＨＭＤの構成を示す図であり、図３はユーザに装着された態様を示すＸ軸方向から見た断面図、図４は表示面を臨む向きから見た斜視図である。なお図３において、Ｈはユーザを示す。
【００２９】
なお、図中のＸ軸方向、Ｙ軸方向及びＺ軸方向は、ユーザが属するＸＹＺ座標系において相互に直交する３軸方向を示し、Ｘ軸方向及びＺ軸方向は水平方向、Ｙ軸方向は鉛直方向（上下方向）を示す。また、基本姿勢において、Ｘ軸方向は、ＨＭＤ１及びユーザの左右方向とし、Ｙ軸方向は、ＨＭＤ１及びユーザの上下方向とし、Ｚ軸方向は、ＨＭＤ１及びユーザの前後方向（正面−背面）とする。なお、「基本姿勢」とは、ユーザがＨＭＤ１を装着している状態であって、後述する頭部の動作をすることなく、直立して静止している状態を示す。
【００３０】
本実施形態に係るＨＭＤ１は、例えば全体としてゴーグル形状の非透過型のＨＭＤとして構成される。また上述のように、ＨＭＤ１は、本体１０と、提示部３と、検出部４とを有する。以下、ＨＭＤ１の各要素について説明する。
【００３１】
（本体）
本体１０は、ユーザの頭部に装着され、筐体１１と、左目用及び右目用の表示面１３とを有し、本実施形態において左右対称に構成される。また本実施形態に係る表示面１３は、左目用及び右目用のいずれも同様の構成であるため、同一の符号を付して説明する。
【００３２】
筐体１１は、ユーザの眼前に配置されることが可能であり、ユーザの顔面にフィットするように構成される。筐体１１は、上面１１１と下面１１２とを有し、例えば、全体としてＺ軸方向に膨出する半円盤状に形成される。上面１１１には、装着時にユーザの額に接触し筐体１１の装着位置を固定するパッド部１１４が配置されてもよい。また筐体１１の左右の側面には、後述する装着部１２が接続されており、またヘッドフォン１６がそれぞれ配置されていてもよい。
【００３３】
また筐体１１は、ユーザの左右の目を含む顔面とＺ軸方向に所定の間隔で対向し、Ｚ軸方向に略直交する接眼面１１３を含む。接眼面１１３は、例えば下端で下面１１２と連接する。また接眼面１１３の中央部には、例えば、ユーザの鼻の形状にあわせて切り欠き１１５が形成されている。さらに切り欠き１１５には、例えば着脱自在に構成された鼻当て１１６が配置されてもよい。なお、図３は、鼻当て１１６が取り外された態様を示す。
【００３４】
表示面１３は、筐体１１に支持され、ユーザに画像を提示する。すなわち表示面１３は、コントローラ３により処理された左目用及び右目用の画像を、ユーザの左目及び右目にそれぞれ提示することが可能に構成される。
【００３５】
筐体１１内には、本実施形態において、ユーザの眉間部ＧとＺ軸方向に直交する方向に対向して検出部４が配置される。検出部４については、詳細を後述する。
【００３６】
本体１０はまた、筐体１１を適切な相対位置に装着させることが可能に構成された装着部１２を有する。装着部１２の構成は特に限定されないが、例えば筐体１１にそれぞれ接続され、ユーザの後頭部に装着される上バンド１２１と、下バンド１２２とを含む。上バンド１２１及び下バンド１２２は、例えばナイロンやポリプロピレン等の柔軟性のある材料や、シリコーンゴムやエラストマ等の伸縮性のある材料等が適宜採用される。また、上バンド１２１及び下バンド１２２は、一体に形成されていてもよく、またそれぞれ長さが可変に構成されてもよい。
【００３７】
（提示部）
提示部２は、本体１０の筐体１１内に配置され、検出部４からの出力に基づいて切り替えられた情報をユーザに提示することが可能に構成される。本実施形態において、提示部２は、検出部４からの出力に基づいて切り替えられた画像をユーザの眼前に表示することが可能な表示部２０を有する。以下、表示部２０について説明する。
【００３８】
図５は、提示部２（表示部２０）の構成を示すブロック図である。表示部２０は、ディスプレイポート入力端子２１と、画像生成部２２と、表示素子２３とを有する。ディスプレイポート入力端子２１は、例えばケーブル１５によってコントローラ３と接続され、画像データとしての画像制御信号を取得する。画像生成部２２は、当該画像制御信号に基づき、左右の表示素子２３へそれぞれ出力するための画像信号を生成する。そして、表示素子２３は、これらの画像信号に応じた画像光をそれぞれ表示面１３へ出射し、ユーザに対し画像が表示される。なお表示素子２３は、表示面１３と同様に左目用及び右目用のいずれも同様の構成であるため、同一の符号を付して説明する。
【００３９】
画像生成部２２は、具体的には、上記画像制御信号に対して所定のずらし処理等を行い、ＨＭＤ１に適した左目用及び右目用の画像信号を生成してもよい。これにより、ユーザに対し３次元画像を提示することが可能となる。当該ずらし処理におけるずらし量は、例えばＨＭＤ１の表示素子２３と目の距離、両目の間隔、あるいは後述する虚像位置等から算出される。
【００４０】
左右の表示素子２３は、画像生成部２２から入力された画像信号に基づいて、左右の表示面１３へ向かって画像光を出射する。表示素子２３は、本実施形態において、有機ＥＬ（Electroluminescence）素子で構成される。表示素子２３として有機ＥＬ素子を採用することで、小型化、高コントラスト及び迅速な応答性等を実現することができる。
【００４１】
表示素子２３は、例えば複数の赤色有機ＥＬ素子，緑色有機ＥＬ素子，青色有機ＥＬ素子等がマトリクス状に配置された構成を有する。これらの各素子は、アクティブマトリクス型、あるいは単純（パッシブ）マトリクス型等の駆動回路によって駆動されることで、それぞれ所定のタイミング、輝度等にて自発光する。また、表示素子２３は、上記駆動回路が画像生成部２２で生成された画像信号に基づいて制御されることで、表示素子２３全体として所定の画像が表示されるよう構成される。
【００４２】
なお、表示素子２３は上記構成に限られず、例えば、液晶表示素子（ＬＣＤ）等を採用することも可能である。
【００４３】
表示素子２３と表示面１３との間には、光学系として、例えば図示しない複数の接眼レンズがそれぞれ配置される。これらの接眼レンズとユーザの目とを所定距離で対向させることにより、ユーザに対し、所定位置（虚像位置）に表示されるように見える虚像を観察させることが可能となる。虚像位置及び虚像の大きさは、表示素子２３及び光学系の構成等によって設定され、例えば、虚像の大きさが映画館サイズの７５０インチであり、虚像位置がユーザから約２０ｍ離れた位置とするように設定される。また、虚像を観察させるためには、表示素子２３からＺ軸方向を光軸方向として出射される画像光が、接眼レンズ等により左右の目の網膜上にそれぞれ結像するように、筐体１１をユーザに対して適切な相対位置に配置する。
【００４４】
（検出部）
図６は、検出部の配置を説明するための平面図（正面図）であり、図６Ａは、ユーザの頭部を示す図であり、図６Ｂは、ＨＭＤ（本体）における検出部の配置を示す図である。図７は、検出部４の構成を模式的に示す図である。
【００４５】
検出部４は、本体１０を装着したユーザＨの正中面Ｍと交わる位置に配置され、ユーザＨの頭部の動作を検出することが可能に構成される。ここでいう「正中面」とは、左右相称に構成されるユーザの頭部において中心をなす面を示す。具体的に正中面は、ユーザの鼻の中央部、眉間部、頭頂部及び後頭部を結ぶ線に沿ってユーザの頭部を上下方向に切断したと仮定した場合における断面を示す。また「正中面と交わる」とは、少なくとも検出部４の一部が正中面の属する平面と交わっていればよい。
【００４６】
本実施形態において、検出部４は、本体１０を装着したユーザＨの眉間部Ｇに直交する方向に、この眉間部Ｇと対向して配置される。また検出部４は、筐体１１内の接眼面１１３の近傍に配置することができる（図３，４参照）。ここでいう「眉間部」とは、ユーザの顔面における左右の眉の間に挟まれた略平坦な領域を示す。また「眉間部に直交する方向に対向する」とは、眉間部を平面とみなした場合に、当該平面と略直交する方向に対向することを示し、本実施形態においては、眉間部ＧをＸＹ平面と平行な面とみなし、眉間部ＧとＺ軸方向に対向することを示す（図３参照）。
【００４７】
これにより、検出部４を頭部の重心の比較的近傍に配置することができ、ユーザの頭部の動作をより正確に捉えることが可能となる。また、検出部４を筐体１１内に配置することができ、ＨＭＤ１のデザインの自由度を維持し、かつ装着時の違和感等も抑制することが可能となる。
【００４８】
検出部４は、ユーザの頭部の動作を検出する角速度センサ部４０を有する。すなわち角速度センサ部４０は、本実施形態において、直交する３軸のまわりの角速度を検出する角速度センサモジュールとして構成される。
【００４９】
角速度センサ部４０は、ユーザの第１の動作に基づくｘ軸（第１の軸）まわりの角速度を検出する第１の振動素子４１と、ユーザの第２の動作に基づくｙ軸（第２の軸）まわりの角速度を検出する第２の振動素子４２と、ユーザの第３の動作に基づくｚ軸まわりの角速度を検出する第３の振動素子４３とを有する。
【００５０】
角速度センサ部４０は、本実施形態において、ユーザの基本姿勢時に、ｘ軸方向をＸ軸方向、ｙ軸方向をＹ軸方向、ｚ軸方向をＺ軸方向に一致させるように本体１０へ配置される。このとき、ｘ軸方向は、左右方向に配置され、ｙ軸方向は、鉛直方向に配置され、ｚ軸方向は、前後方向に配置されることとなる。また、ｘ軸方向、ｙ軸方向、ｚ軸方向は、互いに直交する３軸方向である。これにより、ｘ軸まわり、ｙ軸まわり及びｚ軸まわりの各成分の動きをそれぞれ精度よく検出することが可能となり、各軸間のクロストーク（軸干渉）を抑制することが可能となる。
【００５１】
また、第１〜３の動作は、特に限定されないが、ユーザが無意識に行わず、かつユーザの直感に即した動作を適用することが可能である。例えば、第１の動作としては、頭をＸ軸まわりに回動させる動作とみなせるものを採用することができ、例えば頷くように頭を上下に振る動作とすることができる。また第２の動作としては、頭をＹ軸まわりに回動させる動作とみなせるものを採用することができ、例えば顔面を左右に向ける動作とすることができる。また第３の動作としては、頭をＺ軸まわりに回動させる動作とみなせるものを採用することができ、例えば首をかしげるように左右に頭を傾ける動作とすることができる。
【００５２】
第１、第２及び第３の振動素子４１，４２，４３各々は、本実施形態において、振動型のジャイロセンサとして構成される。第１、第２及び第３の振動素子４１，４２，４３各々は、同一のパッケージ内に配置されてもよいし、あるいは別個のパッケージ内に配置されてもよい。また、これらの振動素子４１，４２，４３のうち、２つの振動素子が同一のパッケージ内に配置されており、他の１つの振動素子が異なるパッケージ内に配置されていてもよい。
【００５３】
第１、第２及び第３の振動素子４１，４２，４３は、それぞれ、振動可能に構成される第１の端部４１１，４２１，４３１と、第１の端部４１１，４２１，４３１の反対側の第２の端部４１２，４２２，４３２とを有し、ｘ軸、ｙ軸及びｚ軸方向に沿ってそれぞれ延在する。
【００５４】
第１、第２及び第３の振動素子４１，４２，４３は、本実施形態において、音叉型の振動素子として構成することができ、例えば検出軸と直交する方向に相互に対向する２本のアームを有する。なお第１、第２及び第３の振動素子４１，４２，４３は、音叉型に限定されず、例えば片持ち梁状の構造等であってもよい。なお以下の説明において、「検出軸」とは、各振動素子が角速度を検出可能な軸を示し、例えば第１の振動素子４１の検出軸はｘ軸、第２の振動素子４２の検出軸はｙ軸、第３の振動素子４３の検出軸はｚ軸を示すものとする。
【００５５】
第１の端部４１１，４２１，４３１は、各振動素子４１，４２，４３の振動可能なアームの先端部として構成される。第１の端部４１１，４２１，４３１は、各検出軸まわりの第１、第２及び第３の振動素子４１，４２，４３の回転により、固有振動の方向と直交する方向に角速度に比例する大きさのコリオリ力を受けるように構成される。角速度センサ部４０は、当該コリオリ力による振動を検出することで、角速度の大きさを検出することが可能となる。
【００５６】
第２の端部４１２，４２２，４３２は、アームの基部として構成され、図示しない制御基板等に実装される。また角速度センサ部４０は、図示はしないが、例えば第１の端部４１１，４２１，４３１を固有振動させることが可能な駆動電極と、コリオリ力による振動を検出する検出電極とをさらに有する。
【００５７】
第１、第２及び第３の振動素子４１，４２，４３は、本実施形態において、それぞれ延在方向（検出軸方向）に沿って延長した第１、第２及び第３の直線Ｌ１，Ｌ２，Ｌ３が、一点（点Ｐ）で交わるように配置される。さらに、角速度センサ部４０は、点Ｐからの、第２の端部４２１までの距離と、第２の端部４２２までの距離と、第２の端部４２３までの距離とがそれぞれ等しい距離ｄである。これにより、各振動素子の検出感度のバラつきを抑制し、頭部の動作をより精度よく検出することが可能となる。
【００５８】
さらに本実施形態において、第２の端部４１２，４２２，４３２は、第１の端部４１１，４２１，４３１よりも点Ｐに近い側に配置される。これにより、角速度センサ部４が小型に構成された場合であっても、機械的振動及び電気的結合等による各振動素子４１，４２，４３間の干渉を抑制することができる。
【００５９】
検出部４は、コントローラ３に対し、各振動素子４１，４２，４３による検出信号として、角速度に応じた電気的な信号を出力する。当該電気的な信号は、例えば電圧値であってもよい。また角速度が検出された場合の検出信号は、例えば、動作に対応する周期及び振幅の電気的振動として出力される。
【００６０】
なお図示はしないが、検出部４は、角速度センサ部４０と同一の回路基板上に搭載され検出信号を処理する集積回路（ＩＣ）等を有していてもよい。当該ＩＣは、角速度センサ部４０から出力された信号に対しＡ／Ｄ（Analog/Digital）変換や、増幅等の所定の処理を行う。これにより、コントローラ３による処理が容易な検出信号が供給される。また当該ＩＣは、検出部４とは別個に設けられていてもよく、この場合は検出部４の近傍やコントローラ３と同一の筐体内等に適宜配置されることが可能である。
【００６１】
（コントローラ）
コントローラ３は、検出部４からの出力に基づいて、提示部２（表示部２０）により提示される情報を切り替えることが可能に構成される。コントローラ３は、本実施形態において、画像制御部３０と、画像取得部３１と、記憶部３２とを有する。コントローラ３の各要素は、例えば１つの筐体内に収容される。以下、図２を参照して説明する。
【００６２】
画像取得部３１は、ユーザに提示するための所定の画像データを取得することが可能に構成される。本実施形態において、画像取得部３１は、画像データが供給される入力端子と、供給された画像データの規格の変換等を行う画像変換回路とを有する（図示せず）。なお、画像取得部３１で画像変換等された画像データも「画像データ」と称するものとする。
【００６３】
入力端子は、内視鏡装置や、超音波装置、ゲーム装置等の画像データが生成される外部機器と直接接続することが可能に構成されてもよい。あるいは、予め取得された画像データを格納する外部メモリ等と接続される構成でもよい。また画像取得部３１は、これらの装置各々との接続に適した規格の複数の入力端子を有していてもよい。
【００６４】
画像変換回路は、取得された画像データ各々をＨＭＤ１から表示する画像データに変換可能な構成とすることができる。例えば画像変換回路は、ＨＭＤ１に適した規格の画像データに変換するためのアップコンバータを有していてもよい。あるいは画像変換回路は、取得された画像データの再構築処理を行うことが可能であってもよく、例えば２次元の画像データから３次元の画像データを構築すること等が可能に構成されてもよい。
【００６５】
画像制御部３０は、検出部４から出力された検出信号に基づいて画像データを切り替えることが可能に構成される。具体的には、画像制御部３０は、検出部４からの出力に基づいてユーザにより所定の動作が行われたか否か判定し、出力する画像データを当該動作に対応する画像データに切り替える。
【００６６】
画像制御部３０は、具体的には、検出部４の各振動素子４１，４２，４３から出力された検出信号に基づいて、ユーザの動作を判定する。すなわち画像制御部３０は、取得された検出信号が、所定の動作に対応する検出信号としての条件を満たしているか否かを判定することで、ユーザの動作を判定する。具体的な判定方法としては、例えば、出力された検出信号の電気的振動の振幅が所定の閾値以上であるか、電気的振動の周波数が想定される動作に応じた範囲であるか、等に基づいて判定することができる。
【００６７】
画像制御部３０は、所定の動作が検出されたと判定された場合に、当該動作に対応する画像データを出力する。例えば、第１の画像を表示している際に、第１の動作を検出した場合には第２の画像へ切り替えられ、第２の動作を検出した場合には第３の画像へ切り替えられる。
【００６８】
さらにコントローラ３は、ＨＭＤ１に接続されるＨＭＤ画像変換部３３を有していてもよい。ＨＭＤ画像変換部３３は、例えば、画像制御部３０等で生成された画像データを、ＨＭＤ１に適合した規格に変換することが可能に構成される。
【００６９】
記憶部３２は、典型的には、ＲＡＭ（Random Access Memory）、ＲＯＭ（Read Only Memory）及びその他の半導体メモリ等で構成される。記憶部３２は、コントローラ３によって行われる種々の演算に用いられるプログラムや画像制御用の各動作に対応する制御パラメータ等が格納される。なお記憶部３２は、画像取得部３１と接続されていてもよい。この場合に記憶部３２は、取得された画像データ等を格納し、画像制御部３０にこれらの画像データを供給することが可能に構成されてもよい。
【００７０】
コントローラ３から出力された画像データは、ケーブル１５を介してＨＭＤ１の提示部２（表示部２０）に出力され、ＨＭＤ１の表示面１３から当該画像データに対応する画像が表示される。
【００７１】
次に、以上のように構成されるコントローラの動作について説明する。
【００７２】
［コントローラの動作］
図８は、コントローラ３の動作例を説明するフローチャートである。ここでは、ＨＭＤ１に第１の画像が表示されている場合に、ユーザの動作に基づいて当該画像が制御される場合の動作例について説明する。
【００７３】
まず、コントローラ３は、画像取得部３１によって取得された第１の画像データをＨＭＤ１へ出力し、第１の画像を表示させる（ＳＴ１０１）。
【００７４】
一方コントローラ３の画像制御部３０は、検出部４の各振動素子４１，４２，４３により検出された検出信号をモニタし、所定の動作が行われたかを判定する。本実施形態において、所定の動作は、画像制御部３０により出力される画像データを第１又は第３の画像データから第２の画像データに切り替えるための第１の動作、第２又は第３の画像データから第１の画像データに切り替えるための第２の動作、及び第１又は第２の画像データから第３の画像データに切り替えるための第３の動作を含む。
【００７５】
まず画像制御部３０は、検出部４からの出力に基づいて、第１の動作が行われたか否か判定する（ＳＴ１０２）。第１の動作が行われたと判定された場合に（ＳＴ１０２でＹｅｓ）、画像制御部３０は、第１の画像データに替えて第２の画像データを出力し、ＨＭＤ１に第２の画像を表示させる（ＳＴ１０３）。また第１の動作は、例えば、頷くように頭を上下に振る動作とすることができる。
【００７６】
上記第１の動作は、Ｘ軸（ｘ軸）まわりに頭部が回動する動作と捉えることができる。そこで、画像制御部３０は、ｘ軸まわりの角速度を検出する振動素子４１からの検出信号の振幅が所定の閾値以上であり、かつ周波数が所定以上の場合に、第１の動作が行われたと判定することができる。
【００７７】
ＨＭＤ１に第２の画像が表示された後、画像制御部３０は、第２の動作が行われたか否か判定する（ＳＴ１０４）。第２の動作は特に限定されないが、例えば顔面を交互に左右に向ける動作としてもよい。上記第２の動作は、Ｙ軸（ｙ軸）まわりに頭部が回動する動作と捉えることができる。そこで、画像制御部３０は、ｙ軸まわりの角速度を検出する振動素子４２からの検出信号の振幅が所定の閾値以上であり、かつ周波数が所定以上である場合に、第２の動作が行われたと判定することができる。
【００７８】
画像制御部３０により第２の動作が行われたと判定された場合（ＳＴ１０４でＹｅｓ）、画像制御部３０は、第２の画像データに替えて第１の画像データを出力し、ＨＭＤ１に再び第１の画像を表示させる（ＳＴ１０１）。
【００７９】
一方、画像制御部３０により第２の動作が行われていないと判定された場合（ＳＴ１０４でＮｏ）、画像制御部３０は、第３の動作が行われたか否か判定する（ＳＴ１０５）。第３の動作は特に限定されないが、例えば首をかしげるように交互に左右に頭を傾ける動作としてもよい。上記第３の動作は、Ｚ軸（ｚ軸）まわりに頭部が回動する動作と捉えることができる。そこで、画像制御部３０は、ｚ軸まわりの角速度を検出する振動素子４３からの検出信号の振幅が所定の閾値以上であり、かつ周波数が所定以上である場合に、第３の動作が行われたと判定できる。
【００８０】
第３の動作が行われたと判定された場合に（ＳＴ１０５でＹｅｓ）、画像制御部３０は、第２の画像データに替えて第３の画像データを出力し、ＨＭＤ１に第３の画像を表示させる（ＳＴ１０６）。その後、第２の動作を判定するＳＴ１０９へ進む。
【００８１】
また、第３の動作が行われていないと判定された場合に（ＳＴ１０５でＮｏ）、画像制御部３０は、引き続き第２の画像データを出力する（ＳＴ１０３）。
【００８２】
一方、ＳＴ１０２で第１の動作が行われていないと判定された場合に（ＳＴ１０２でＮｏ）、画像制御部３０は、第３の動作が行われたか否か判定する（ＳＴ１０７）。第３の動作が行われたと判定された場合に（ＳＴ１０７）、画像制御部３０は、第１の画像データに替えて第３の画像データを出力し、ＨＭＤ１に第３の画像を表示させる（ＳＴ１０８）。第３の動作が行われていないと判定された場合に（ＳＴ１０８でＮｏ）、画像制御部３０は、引き続き第１の画像データを出力する（ＳＴ１０１）。
【００８３】
ＨＭＤ１に第３の画像が表示された後、画像制御部３０は、第２の動作が行われたか否か判定する（ＳＴ１０９）。第２の動作が行われたと判定された場合に（ＳＴ１０９でＹｅｓ）、画像制御部３０は、第３の画像データに替えて第１の画像データを出力し、ＨＭＤ１に再び第１の画像を表示させる（ＳＴ１０１）。
【００８４】
一方、画像制御部３０により第２の動作が行われていないと判定された場合（ＳＴ１０９でＮｏ）、画像制御部３０は、第１の動作が行われたか否か判定する（ＳＴ１１０）。第１の動作が行われたと判定された場合に（ＳＴ１１０でＹｅｓ）、画像制御部３０は、第３の画像データに替えて第２の画像データを出力し、ＨＭＤ１に再び第２の画像を表示させる（ＳＴ１０３）。一方、第１の動作が行われていないと判定された場合には（ＳＴ１１０でＮｏ）、画像制御部３０は、引き続き第３の画像データを出力する（ＳＴ１０８）。
【００８５】
以上のように、本実施形態によれば、ユーザの頭部の動作によって画像を切り替えることが可能となり、ユーザが手や足を用いずとも、円滑な入力操作が可能となる。ここで、頭部の動作に基づいて画像の切り替えを行う場合には、コントローラ３において、所定の動作が行われたか否かのＯｎ／Ｏｆｆ判定を明確に行う必要がある。すなわち、当該判定が可能な質の高い検出信号が求められる。
【００８６】
そこで、本実施形態によれば、本体１０を装着したユーザの正中面と交わる位置に検出部４を配置することで、上記要求に応えることが可能となる。以下、ＨＭＤ１（情報処理システム１００）の作用効果について説明する。
【００８７】
［ＨＭＤ（情報処理システム）の作用効果］
図９〜１１は、検出部を本体１０の異なる位置に配置した際の検出信号の具体例を示すグラフであり、それぞれ、横軸は時間、縦軸は電圧値を示す。図９〜１１に示すグラフでは、ｘ軸まわりの角速度を検出する第１の振動素子から出力された検出信号を実線で、ｙ軸まわりの角速度を検出する第２の振動素子から出力される検出信号を破線で、それぞれ示している。また、図中のＴ１は、第１の動作（例えば上、下、上、下と頭を振る動作）を行った時間を示し、図中のＴ２は、第２の動作（例えば左、右、左、左、右、左と交互に顔面を向ける動作）を行った時間を示す。なお、図９〜１１の実験には、検出部として、第１及び第２の振動素子を有する２軸の角速度センサモジュールを用いている。
【００８８】
また図１２は、図９〜１１に対応する検出部の配置を示すＨＭＤ１の概略斜視図であり、Ａ点は図９に示す結果を得た際の検出部の位置、Ｂ点は図１０に結果を得た際の検出部の位置、Ｃ点は図１１に示す結果を得た際の検出部の位置をそれぞれ示す。また、Ａ点は本体１０を装着したユーザの正中面と交わる位置であって、ユーザの眉間部と対向する位置である。一方、Ｂ点及びＣ点はいずれもユーザの正中面と交わらない位置であり、Ｂ点はユーザの目尻の近傍の位置、Ｃ点はユーザのこめかみの近傍の位置である。なお、図１２のＡ点、Ｂ点及びＣ点の近傍に示したｘｙｚ軸は、それぞれの位置に配置された検出部の属するｘｙｚ座標系を示す。
【００８９】
まず、図９を参照し、第１の動作時（Ｔ１）には、ｘ軸まわりの角速度を検出する第１の振動素子から、第１の動作に対応する周波数で、かつ比較的大きな振幅の電気的振動が検出された。ここで、電圧値と角速度とはほぼ比例関係にあるため、振幅の大きな電気的振動は、比較的速い速度のｘ軸まわりの回動が反復して検出されたことを表している。これに対してｙ軸まわりの角速度を検出する第２の振動素子からの出力は、基準電圧値からほとんど変動が見られなかった。すなわち、図９に示すＴ１の結果から、ｘ軸まわりの回動を伴う２回の反復動作が検出され、ｙ軸まわりの回動を伴う動作は検出されなかった。
【００９０】
一方、第２の動作時（Ｔ２）には、第２の振動素子から、第２の動作に対応する周期で、かつ大きな振幅の電気的振動が検出された。これに対して第１の振動素子からの出力は、基準電圧値からほとんど変動が見られなかった。すなわち、図９に示すＴ２の結果から、ｙ軸まわりの回動を伴う４回の往復動作が検出され、ｘ軸まわりの回動を伴う動作は検出されなかった。
【００９１】
図９の結果から、検出部をＡ点に配置した場合には、第１の動作及び第２の動作の双方を精度よく検出できることが確認された。また、一軸まわりの回転動作時に他軸まわりの角速度を検出してしまう、いわゆる軸干渉もほとんど認められず、ノイズがほとんど生じなかった。
【００９２】
次に、図１０を参照し、第１の動作時（Ｔ１）には、第１の振動素子から第１の動作に対応する周波数で、かつ比較的大きな振幅の電気的振動が検出されたが、第２の振動素子からの出力も、基準電圧値から若干の変動が見られた。一方、第２の動作時（Ｔ２）も同様に、第２の振動素子から第２の動作に対応する周波数で、かつ比較的大きな振幅の電気的振動が検出されたが、第２の振動素子からの出力も、基準電圧値から若干の変動が見られた。
【００９３】
図１０の結果から、検出部をＢ点に配置した場合には、若干の軸干渉が見受けられ、ノイズが生じることが確認された。
【００９４】
そして、図１１を参照し、第１の動作時（Ｔ１）には、第１の振動素子から第１の動作に対応する周波数の電気的振動が検出されたが、第２の振動素子からも、同様の周期の電気的振動が検出された。さらに、第１の振動素子からの電気的振動の振幅は、図９に示す値よりも小さかった。すなわち、図１１に示すＴ１の結果から、ｘ軸まわりの回動を伴う２回の反復動作がかろうじて検出されたが、ｙ軸まわりの回動を伴う動作も検出された。
【００９５】
また、第２の動作時（Ｔ２）も同様に、第２の振動素子のみならず第１の振動素子からも、第２の動作に対応する周波数で、かつ同程度の振幅の電気的振動が検出された。この場合は、第１の振動素子からの出力の方が、第２の振動素子の出力よりもむしろ大きい出力が検出された。すなわち、図１１に示すＴ２の結果から、ｙ軸まわりの回動を伴う４回の反復動作とともに、ｘ軸まわりの回動を伴う動作も検出された。
【００９６】
図１１の結果から、検出部をＣ点に配置した場合には、軸干渉が生じ、非常に大きなノイズが生じることが確認された。したがって、実際の頭部の動作を反映した結果を得ることができなかった。
【００９７】
以上の結果から、本体１０を装着したユーザの正中面と交わる位置に検出部４を配置することにより、頭部の動作を正確に反映したノイズの少ない検出信号が得られることが確認された。なお、以上の結果には示していないが、検出部がｚ軸まわりの角速度を検出可能な第３の振動素子を有しており、ユーザがＺ軸まわりの回動を伴う第３の動作を行った場合も、同様の結果が得られた。
【００９８】
さらに、検出信号のノイズが少ないことにより、コントローラ３における動作の判定を明確に行うことができる。例えば第２の動作の判定には、第２の振動素子からの検出信号の振幅が所定の閾値以上であり、かつ第１の振動素子からの検出信号の振幅が所定の閾値未満であることを基準として用いることができる。この場合に、図１１のようにノイズが大きい場合には、上記基準を用いて第２の動作を判定することが困難である。一方、図９のようにノイズがほとんどない場合には、上記基準に基づいて確実に第２の動作を判定することができる。
【００９９】
このように、本実施形態によれば、頭部の動作が行われたか否かの判定を明確に行い得る、質の高い検出信号を取得できることが確認された。以下、上記結果について考察する。
【０１００】
図１３は、ユーザの第２の動作と検出部の配置との関係について説明する模式的な図であり、図１３Ａは検出部４ａ（４）をＡ点に配置した場合、図１３Ｂは検出部４ｃをＣ点に配置した場合を示す。
【０１０１】
図１３Ａに示すように、第２の動作により、ユーザの頭部は首を中心としてほぼ左右対称に回動する。この際、首がねじれながら頭部が回動するが、Ａ点は、そのねじれの影響をほぼ受けることなく、頭部の重心と同様のほぼ左右対称な軌道を描いて移動する。したがって、検出部４ａは、頭部の動作時に、各検出軸とユーザの属するＸ軸、Ｙ軸及びＺ軸とが一致した姿勢を維持することが可能となり、ノイズの発生が抑制されると考えられる。
【０１０２】
一方図１３Ｂに示すように、第２の動作により、頭部の重心とは全く異なる左右非対称な軌道を描いて移動する。これに伴い、Ｃ点は、首のねじれの影響を大きく受けると考えられる。したがって、検出部４ｃは、各検出軸とＸ軸、Ｙ軸及びＺ軸とが一致した姿勢を維持することができず、軸間のクロストークが生じ、大きなノイズが発生すると考えられる。
【０１０３】
また、回転の中心である首は、頭部の中央部ではなく、後頭部寄りに位置する。このため第２の動作時に、Ａ点は、回転の中心である首からの距離の変化が小さく、かつその変化に対称性を有するが、Ｃ点は、非対称に回動するため、当該首からの距離が大きく変化する。このことも、Ｃ点におけるノイズの発生に影響があると考えられる。
【０１０４】
また、図１４は、他の観点から上記結果を説明するための図であり、頭部の回転の中心とみなされる首からのＡ点、Ｂ点及びＣ点の距離ｒ１，ｒ２，ｒ３を模式的に示す図である。図１４を参照すると、ｒ１，ｒ２，ｒ３の間には、
ｒ１＞ｒ２＞ｒ３
の関係が見られ、回転の中心からの距離はＡ点が最も長いこととなるため、ＸＹＺ座標系における速度（周速度）は、回転中心からの距離に比例して大きくなる。これにより、同一の角速度であれば当該距離が長い方が周速度が大きくなり、検出精度をより高めることができると考えられる。
【０１０５】
以上のように、本実施形態によれば、ユーザの頭部の動作を正確に判定することが可能となるため、ユーザが手や足等を用いずとも画像等の切替操作が可能となる。これにより、ＨＭＤ本体に入力操作部が設けられた場合のように、手探りで操作することによる操作ミスを防止することが可能となる。また、操作ミスを防止するためにＨＭＤを外して操作する等の煩わしさを排除することができる。さらに、筐体１１とユーザの顔面との間の隙間等から下方（外方）を見つつ入力操作を行う必要もなく、画像鑑賞中のユーザにより高い没入感を提供することも可能となる。
【０１０６】
また、内視鏡下手術等においては衛生上手指を用いることができず、ＨＭＤ装着時における画像切替操作が困難であった。本実施形態によれば、このような手などによる入力操作が困難な状況においても、所望の画像切替操作が可能となる。
【０１０７】
このように、本実施形態によれば、ユーザにストレスを感じさせることなく、ユーザの意思に即した円滑かつ正確な画像等の切り替えが可能となる。
【０１０８】
＜第２の実施形態＞
図１５は、本技術の第２の実施形態に係る情報処理システムの構成を示すブロック図である。本実施形態に係る情報処理システム１００Ａにおいて、第１の実施形態に係る情報処理システム１００と異なる主な点は、情報処理システム１００Ａが複数のＨＭＤ１ａ，１ｂ，１ｃを有し、検出部４がＨＭＤ１ａに配置される点である。
【０１０９】
ＨＭＤ１ａは、第１の実施形態に係るＨＭＤ１と略同一に構成される。すなわち、ＨＭＤ１ａは、ユーザの頭部に装着された本体１０と、ユーザの頭部の動作を検出する検出部４と、所定の情報をユーザに提示することが可能な提示部２とを有する。また本実施形態に係るＨＭＤ１ｂ，１ｃは、本体１０と、提示部２とを有するが、検出部４を有していない。ＨＭＤ１ａ，１ｂ，１ｃは、検出部４の配置の有無以外は同一の構成を有し、例えば図示しないケーブルにより、それぞれコントローラ３Ａと接続される。なおＨＭＤ１ａ，１ｂ，１ｃの構成については、第１の実施形態に係るＨＭＤ１と同様のため、その詳細な説明を省略する。
【０１１０】
コントローラ３Ａは、第１の実施形態に係るコントローラ３と同様に、ＨＭＤ１ａに配置された検出部４からの出力に基づいて、提示部２により提示される情報を切り替えることが可能に構成される。コントローラ３Ａは、本実施形態において、画像制御部３０と、画像取得部３１と、記憶部３２と、分配部３４Ａと、ＨＭＤ画像変換部３３ａ，３３ｂ，３３ｃとを有する。本実施形態においては、画像制御部３０、画像取得部３１及び記憶部３２の構成については第１の実施形態と同様の構成を有するため、分配部３４Ａ及びＨＭＤ画像変換部３３ａ，３３ｂ，３３ｃについて説明する。
【０１１１】
分配部３４Ａは、画像制御部３０から出力された画像データを、略同一のレベルで分配し、各ＨＭＤ１ａ，１ｂ，１ｃに対し出力する。これにより、コントローラ３は、同一の画像をＨＭＤ１ａ，１ｂ，１ｃにそれぞれ表示させることが可能となる。
【０１１２】
ＨＭＤ画像変換部３３ａ，３３ｂ，３３ｃは、第１の実施形態に係るＨＭＤ画像変換部３３と同様に、例えば、画像制御部３０等で生成された画像データを、ＨＭＤ１ａ，１ｂ，１ｃに適合した規格に変換することが可能に構成される。
【０１１３】
以上のように、本実施形態においては、第１の実施形態と同様の作用効果に加え、検出部４が配置されたＨＭＤ１ａを装着するユーザの頭部の動作に基づいて、ＨＭＤ１ａ，１ｂ，１ｃを装着したユーザ全員に提示される画像を切り替えることが可能となる。これにより、ユーザ全員での情報の共有化が必要な状況においても、ＨＭＤ１ａ，１ｂ，１ｃを装着したユーザの作業を円滑に進めることが可能となる。
【０１１４】
＜第３の実施形態＞
図１６は、本技術の第３の実施形態に係る情報処理システムの構成を示すブロック図である。本実施形態に係る情報処理システム１００Ｂにおいて、第１及び第２の実施形態に係る情報処理システム１００，１００Ａと異なる主な点は、情報処理システム１００Ｂが複数のＨＭＤ１ａ、１ｂ，１ｃと、複数の検出部４ａ，４ｂ，４ｃとを有し、検出部４ａ，４ｂ，４ｃがＨＭＤ１ａ，１ｂ，１ｃにそれぞれ配置される点である。
【０１１５】
ＨＭＤ１ａ，１ｂ，１ｃは、第１の実施形態に係るＨＭＤ１と略同一に構成される。すなわち、ＨＭＤ１ａ，１ｂ，１ｃは、それぞれ、ユーザの頭部に装着された本体１０と、所定の情報をユーザに提示することが可能な提示部２と、ユーザの頭部の動作を検出する検出部４ａ，４ｂ，４ｃとを有する。本実施形態に係るＨＭＤ１ａ，１ｂ，１ｃは、例えば図示しないケーブルにより、それぞれコントローラ３Ｂと接続される。なお本実施形態に係るＨＭＤ１ａ，１ｂ，１ｃ各々は、第１の実施形態に係るＨＭＤ１と同様の構成を有するため、その詳細な説明を省略する。
【０１１６】
検出部４ａ，４ｂ，４ｃは、第１の実施形態に係る検出部４と同様に、本体１０を装着した各ユーザの正中面と交わる位置に配置され、ユーザの頭部の動作を検出することが可能に構成される。検出部４ａ，４ｂ，４ｃは、それぞれ、角速度センサ部４０を有する。角速度センサ部４０から出力された検出信号は、それぞれコントローラ３Ｂの画像制御部３０Ｂに出力される。なお、検出部４ａ，４ｂ，４ｃに含まれる角速度センサ部４０は、第１の実施形態に係る角速度センサ部４０と同様の構成を有するため、図１６における図示を省略している。
【０１１７】
コントローラ３０Ｂは、第１の実施形態に係るコントローラ３と同様に、ＨＭＤ１ａ，１ｂ，１ｃに配置された検出部４ａ，４ｂ，４ｃ各々からの出力に基づいて、提示部２により提示される情報を切り替えることが可能に構成される。コントローラ３Ｂは、本実施形態において、画像制御部３０Ｂと、画像取得部３１と、記憶部３２と、ＨＭＤ画像変換部３３ａ，３３ｂ，３３ｃとを有する。本実施形態においては、画像取得部３１、記憶部３２及びＨＭＤ画像変換部３３ａ，３３ｂ，３３ｃの構成については第１及び第２の実施形態と同様の構成を有するため、画像制御部３０Ｂについて説明する。
【０１１８】
画像制御部３０Ｂは、検出部４ａ，４ｂ，４ｃからの出力に基づいてＨＭＤ１ａ，１ｂ，１ｃを装着した各ユーザの動作をそれぞれ検出する。さらに画像制御部３０Ｂは、各検出部４ａ，４ｂ，４ｃからの出力に基づいてＨＭＤ１ａ，１ｂ，１ｃ各々に表示させる画像データを切り替え、当該画像データをＨＭＤ画像変換部３３ａ，３３ｂ，３３ｃ各々に出力する。これにより、ＨＭＤ１ａを装着したユーザの動作により切り替えられた画像がＨＭＤ１ａに、ＨＭＤ１ｂを装着したユーザの動作により切り替えられた画像がＨＭＤ１ｂに、ＨＭＤ１ｃを装着したユーザの動作により切り替えられた画像がＨＭＤ１ｃに、それぞれ表示される。
【０１１９】
本実施形態によれば、第１の実施形態と同様の作用効果に加えて、ＨＭＤ１ａ，１ｂ，１ｃを装着したユーザ各々が、自己の動作に応じてＨＭＤ１ａ，１ｂ，１ｃに表示される画像を切り替えることが可能となる。これにより、例えば内視鏡下手術等の作業の分担が可能な状況においても、作業の効率化を図ることができる。あるいは、例えば対戦型ゲーム等の、各ユーザが異なる入力操作を行うことが必要な状況にも対応することが可能となる。
【０１２０】
以上、本技術の実施形態について説明したが、本技術はこれに限定されることはなく、本技術の技術的思想に基づいて種々の変形が可能である。
【０１２１】
例えば、以上の実施形態では、提示部が表示部を有すると説明したが、これに限定されない。例えば、提示部は、検出部からの出力に基づいて切り替えられた音声をユーザに対し出力することが可能なスピーカ部を有していてもよい。スピーカ部は、具体的には、例えば図４に示すヘッドフォン１６とすることができる。これにより、ユーザの動作に基づいて精度よくユーザに出力する音声を切り替えることが可能となる。
【０１２２】
さらに、提示部は、表示部とスピーカ部とを有し、検出部からの出力に基づいて切り替えられた画像及び音声をユーザに提示可能に構成されてもよい。これにより、画像のみ、音声のみの切り替えに限定されず、画像及び音声の双方を切り替えることが可能となる。
【０１２３】
また、情報提示装置は、ＨＭＤに限定されない。例えば、提示部が上記スピーカ部を有する場合には、情報提示装置自体をヘッドフォン装置としてもよい。また情報提示装置の構成は特に限定されず、左右対称な構成でなくてもよい。
【０１２４】
さらに、以上の実施形態では、検出部がＨＭＤの本体に配置されると説明したが、例えば情報提示装置とは別個の装着具を用いてユーザの頭部に配置されてもよい。
【０１２５】
また、以上の実施形態では、検出部がユーザの眉間部に対向して配置されると説明したが、本体を装着したユーザの正中面と交わる位置に配置されればこれに限定されない。例えば、ユーザの頭頂部に配置してもよいし、ユーザの後頭部に配置してもよい。これによっても、検出部から出力される検出信号のノイズを抑制することができ、ユーザの頭部の動作を精度よく検出することが可能となる。
【０１２６】
また、検出部の角速度センサ部は、振動型のジャイロセンサを含むと説明したが、これに限定されない。角速度センサ部として、回転コマジャイロセンサ、レーザリングジャイロセンサ、ガスレートジャイロセンサ等を適宜選択することが可能である。さらに、振動型のジャイロセンサであっても、振動素子は１個でも２個でもよいし、配置される方向も直交する方向に限定されない。勿論、振動素子の構成も音叉型に限定されない。
【０１２７】
一例として、検出部の角速度センサ部は、互いに異なる３軸まわりの角速度をそれぞれ検出することが可能な検出体を含むように構成されてもよい。このような検出体は、典型的には、検出体本体に、異なる方向に振動する複数の振動子部が設けられ、これらの振動子部に作用したコリオリ力を検出する構成を有する。このような角速度センサ部を適用することで、より狭小なスペースに検出部を配置することが可能となる。したがって、検出部を、眉間部と対向する配置等の所望の配置とすることが容易になる。なお、検出体の構成は、１つの構造体で３軸まわりの角速度を検出することができれば特に限定されない。
【０１２８】
さらに、検出部は、角速度センサ部を含む構成に限定されず、ユーザの頭部の動作を検出することが可能な構成であれば適用可能である。例えば検出部は、加速度センサ部を有していてもよい。これによっても、検出部は、頭部の動作に基づく加速度を検出し、ユーザの頭部の動作を精度よく検出することが可能となる。この場合に、加速度センサ部は、１軸又は２軸を検出する構成であってもよいし、３軸を検出する構成であってもよい。加速度センサは、特に限定されないが、例えばピエゾ抵抗型、圧電型、静電容量型等の加速度センサを用いることができる。
【０１２９】
また、検出部は、角速度センサ部と加速度センサ部とを有する構成であってもよい。これにより、例えば６軸のモーションセンサとして構成することが可能となり、より複雑な頭部の動作を精度よく検出することが可能となる。
【０１３０】
さらに、第１の軸方向（ｘ軸方向）が左右方向であると説明したが、これに限定されず、例えば鉛直方向であってもよい。また、第１、第２及び第３の軸方向は、相互に直交する方向に限定されず、相互に交差する方向であればよい。
【０１３１】
なお、本技術は以下のような構成も採ることができる。
（１）ユーザの頭部に装着される本体と、
上記本体を装着したユーザの正中面と交わる位置に配置され、ユーザの頭部の動作を検出する検出部と、
上記本体に配置され、上記検出部からの出力に基づいて切り替えられた情報をユーザに提示することが可能な提示部と
を具備する情報提示装置。
（２）上記（１）に記載の情報提示装置であって、
上記検出部は、上記本体を装着したユーザの眉間部と直交する方向に、上記眉間部と対向して配置される
情報提示装置。
（３）上記（１）又は（２）に記載の情報提示装置であって、
上記提示部は、上記検出部からの出力に基づいて切り替えられた画像をユーザの眼前に表示することが可能な表示部を有する
情報提示装置。
（４）上記（１）又は（２）に記載の情報提示装置であって、
上記提示部は、上記検出部からの出力に基づいて切り替えられた音声をユーザに対し出力することが可能なスピーカ部を有する
情報提示装置。
（５）上記（１）から（４）のうちいずれか１つに記載の情報提示装置であって、
上記検出部は、ユーザの頭部の動作を検出する角速度センサ部を有する
情報提示装置。
（６）上記（５）に記載の情報提示装置であって、
上記角速度センサ部は、
ユーザの第１の動作に基づく第１の軸まわりの角速度を検出する第１の振動素子と、
ユーザの第２の動作に基づく上記第１の軸とは異なる第２の軸まわりの角速度を検出する第２の振動素子とを有する
情報提示装置。
（７）上記（６）に記載の情報提示装置であって、
上記第１の軸方向は、左右方向及び鉛直方向のうちのいずれか一方である
情報提示装置。
（８）上記（６）又は（７）に記載の情報提示装置であって、
上記第１の軸方向と上記第２の軸方向とは、相互に直交する
情報提示装置。
（９）上記（８）に記載の情報提示装置であって、
上記第１及び第２の振動素子は、振動可能に構成される第１の端部と、上記第１の端部の反対側の第２の端部とをそれぞれ有し、上記第１及び第２の軸方向に沿ってそれぞれ延在し、
上記角速度センサ部は、
上記第１の振動素子から上記第１の軸方向に沿って延長した第１の直線と上記第２の振動素子から上記第２の軸方向に沿って延長した第２の直線とが交わる一点からの、上記第１の振動素子の第２の端部までの距離と、上記第２の振動素子の第２の端部までの距離とがそれぞれ等しい
情報提示装置。
（１０）上記（５）に記載の情報提示装置であって、
上記角速度センサ部は、互いに異なる３軸まわりの角速度をそれぞれ検出することが可能な検出体を含む
情報提示装置。
（１１）
ユーザの頭部に装着される本体と、
上記本体に配置され、ユーザに対し所定の情報を提示することが可能な提示部と
上記本体を装着したユーザの正中面と交わる位置に配置され、ユーザの頭部の動作を検出する検出部と、
上記検出部からの出力に基づいて、上記提示部により提示される情報を切り替える制御部と
を具備する情報処理システム。
【符号の説明】
【０１３２】
１，１ａ，１ｂ，１ｃ…ＨＭＤ（情報提示装置）
１０…本体
１００，１００Ａ，１００Ｂ…情報処理システム
２…提示部
２０…表示部
３，３Ａ，３Ｂ…コントローラ（制御部）
４，４ａ，４ｂ，４ｃ…検出部
４０…角速度センサ部
４１…第１の振動素子
４２…第２の振動素子
４１１，４２１，４３１…第１の端部
４１２，４２２，４３２…第２の端部
Ｈ…ユーザ
Ｇ…眉間部
Ｍ…正中面
【図１】
2015027015.tif 000003
【図２】
2015027015.tif 000004
【図３】
2015027015.tif 000005
【図４】
2015027015.tif 000006
【図５】
2015027015.tif 000007
【図６】
2015027015.tif 000008
【図７】
2015027015.tif 000009
【図８】
2015027015.tif 000010
【図９】
2015027015.tif 000011
【図１０】
2015027015.tif 000012
【図１１】
2015027015.tif 000013
【図１２】
2015027015.tif 000014
【図１３】
2015027015.tif 000015
【図１４】
2015027015.tif 000016
【図１５】
2015027015.tif 000017
【図１６】
2015027015.tif 000018